(57)【要約】【課題】フレキシブル配線板を特別な部品を追加することなしに簡易な構成で固定することが可能な光ピックアップにおけるフレキシブル配線板の固定方法を提供する。【解決手段】光学式記録媒体にレーザ光を集光するレンズ等を備えた可動部と、この可動部を変位可能に支持する支持部と、レーザ光を発するレーザ装置、受光素子等を備えた集積光学素子部２４と、この集積光学素子部２４を光ディスク装置本体側に接続するフレキシブル配線板２６とを有し、支持部に樹脂製フレームであるスライドベース２２を備える光ピックアップ１０におけるフレキシブル配線板２６の固定方法であって、フレキシブル配線板２６は、複数の爪部３２ａ，３２ｂ，３２ｃ，３２ｄ，３２ｅ及び壁部が形成されたスライドベース２２に巻き付けられ、爪部３２ａ，３２ｂ，３２ｃ，３２ｄ，３２ｅに掛けられるとともに壁部に位置決めされて固定される。【選択図】図２
2014106992.tif 000002
【特許請求の範囲】
【請求項１】
光学式記録媒体にレーザ光を集光するレンズ等を備えた可動部と、この可動部を変位可能に支持する支持部と、前記レーザ光を発するレーザ装置、受光素子等を備えた集積光学素子部と、この集積光学素子部を光ディスク装置本体側に接続するフレキシブル配線板とを有し、前記支持部に樹脂製フレームを備える光ピックアップにおけるフレキシブル配線板の固定方法であって、
前記フレキシブル配線板は、複数の爪部及び壁部が形成された前記樹脂製フレームに巻き付けられ、前記爪部に掛けられるとともに前記壁部に位置決めされて固定されることを特徴とする光ピックアップにおけるフレキシブル配線板の固定方法。
【請求項２】
前記フレキシブル配線板は、前記樹脂製フレームの一方向に巻き付けられることを特徴とする請求項１に記載の光ピックアップにおけるフレキシブル配線板の固定方法。
【請求項３】
前記フレキシブル配線板は、前記樹脂製フレームに略一周巻かれ、この略一周した部分は、両縁部が一対の前記爪部で固定されることを特徴とする請求項１又は２に記載の光ピックアップにおけるフレキシブル配線板の固定方法。
【請求項４】
前記フレキシブル配線板は、その一端部から長手方向に突出する耳部が形成され、この耳部が前記爪部に掛けられることを特徴とする請求項１乃至３のいずれか一項に記載の光ピックアップにおけるフレキシブル配線板の固定方法。
【請求項５】
前記フレキシブル配線板は、その中間部の一側部に、前記集積光学素子部に接続される２本の分岐部を備え、これらの分岐部の近傍の他側部が前記爪部で固定され、前記一対の分岐部の間の前記一側部が前記爪部で固定されることを特徴とする請求項１乃至４のいずれか一項に記載の光ピックアップにおけるフレキシブル配線板の固定方法。
【発明の詳細な説明】
【技術分野】
【０００１】
本発明は、樹脂製フレームの形状を利用した光ピックアップにおけるフレキシブル配線板の固定方法に関する。
【背景技術】
【０００２】
光ディスク装置において光ディスクの信号を再生する若しくは記録する光ピックアップでは、光ディスク装置の本体側との接続に、可撓性を有するフレキシブル配線板が用いられることが多い。
上記のフレキシブル配線板としては、光ピックアップに備える対物レンズ等からなる可動部を変位可能に支持する支持部のフレームに板材やビス、接着剤で固定されるものが知られている（例えば、特許文献１参照）。
【先行技術文献】
【特許文献】
【０００３】
【特許文献１】特開２０１１−３２３４号公報
【発明の概要】
【発明が解決しようとする課題】
【０００４】
フレキシブル配線板をフレームに固定するために特別に板材等を設ける構造では、部品点数が多くなり、コスト及び組付工数が嵩む。
本発明は、上述した事情を鑑みてなされたものであり、フレキシブル配線板を特別な部品を追加することなしに簡易な構成で固定することが可能な光ピックアップにおけるフレキシブル配線板の固定方法を提供することを目的としている。
【課題を解決するための手段】
【０００５】
上述した課題を解決するため、本発明は、光学式記録媒体にレーザ光を集光するレンズ等を備えた可動部と、この可動部を変位可能に支持する支持部と、前記レーザ光を発するレーザ装置、受光素子等を備えた集積光学素子部と、この集積光学素子部を光ディスク装置本体側に接続するフレキシブル配線板とを有し、前記支持部に樹脂製フレームを備える光ピックアップにおけるフレキシブル配線板の固定方法であって、前記フレキシブル配線板は、複数の爪部及び壁部が形成された前記樹脂製フレームに巻き付けられ、前記爪部に掛けられるとともに前記壁部で位置決めされて固定されることを特徴とする。
この構成によれば、フレキシブル配線板を、樹脂製フレームに巻き付けるとともに樹脂製フレームの爪部及び壁部を利用して固定する構造であるため、別部材の板材、ビス、接着剤等を用いずに済み、部品点数及び組立工数を削減することができ、軽量化、コスト削減及び生産性向上を図ることができる。
【０００６】
上記構成において、前記フレキシブル配線板は、前記樹脂製フレームの一方向に巻き付けられるようにしても良い。この構成によれば、樹脂製フレームの一方向にフレキシブル配線板を巻き付けることで、巻き付け作業性を向上させることができ、生産性をより一層高めることができる。
また、上記構成において、前記フレキシブル配線板は、前記樹脂製フレームに略一周巻かれ、この略一周した部分は、両縁部が一対の前記爪部で固定されるようにしても良い。
この構成によれば、フレキシブル配線板において、樹脂製フレームに略一周の最後に固定される部分は、両縁部が一対の前記爪部で固定されるため、フレキシブル配線板が動いたとしても樹脂製フレームから外れにくくすることができる。
【０００７】
また、上記構成において、前記フレキシブル配線板は、その一端部から長手方向に突出する耳部が形成され、この耳部が前記爪部に掛けられるようにしても良い。この構成によれば、フレキシブル配線板が、樹脂製フレームに一周巻かれた際に、フレキシブル配線板における一端部の耳部以外の部分と中間部とを干渉しないようにすることができる。
また、上記構成において、前記フレキシブル配線板は、その中間部の一側部に、前記集積光学素子部に接続される２本の分岐部を備え、これらの分岐部の近傍の他側部が前記爪部で固定され、前記一対の分岐部の間の前記一側部が前記爪部で固定されるようにしても良い。この構成によれば、分岐部の近傍の一側部における分岐部の両側も爪部で固定すると、集積光学素子部を樹脂製フレームに取付ける際にフレキシブル配線板の分岐部及びその周辺の動きが制限され、取付けにくくなるが、本発明では、分岐部の近傍の他側部と、分岐部の間の一側部を爪部で固定することで、集積光学素子部を取付けやすくすることができるとともにフレキシブル配線板を確実に固定することができる。
【発明の効果】
【０００８】
本発明は、フレキシブル配線板は、複数の爪部及び壁部が形成された樹脂製フレームに巻き付けられ、爪部に掛けられるとともに壁部で位置決めされて固定されるので、フレキシブル配線板を、樹脂製フレームに巻き付けるとともに樹脂製フレームの爪部及び壁部を利用して固定する構造であるため、別部材の板材、ビス、接着剤等を用いずに済み、部品点数及び組立工数を削減することができ、軽量化、コスト削減及び生産性向上を図ることができる。
【図面の簡単な説明】
【０００９】
【図１】本実施形態の光ピックアップを示す平面図である。
【図２】光ピックアップの一端部を示す斜視図である。
【図３】スライドベースとフレキシブル配線板とを示す分解斜視図である。
【図４】スライドベースを示す平面図である。
【図５】図４のＶ矢視図である。
【図６】スライドベースの下面を示す下面図である。
【図７】図４のＶＩＩ矢視図である。
【図８】フレキシブル配線板を示す平面図である。
【図９】スライドベースの一側面にフレキシブル配線板を巻き付ける要領を示す作用図である。
【図１０】スライドベースの下面にフレキシブル配線板を巻き付ける要領を示す作用図である。
【図１１】スライドベースの他側面にフレキシブル配線板を巻き付ける要領を示す作用図である。
【図１２】スライドベースの上面にフレキシブル配線板を巻き付ける要領を示す作用図である。
【発明を実施するための形態】
【００１０】
以下、図面を参照して本発明の一実施の形態について説明する。
図１は、本実施形態の光ピックアップ１０を示す平面図である。
光ディスク装置等においては、光ディスクの信号の再生若しくは記録のために、光ピックアップ１０を搭載している。
光ピックアップ１０は、光ディスクの情報を光学的に読み取る、あるいは光ディスクに情報を光学的に書き込む装置であり、光ディスクにレーザ光を集光する対物レンズ１２等を備える可動部１１と、この可動部１１を複数の支持ワイヤ２０を介して変位可能に支持する支持部２１とを有する。
可動部１１は、対物レンズ１２と、この対物レンズ１２を支持するレンズホルダ１３と、このレンズホルダ１３を電磁的に駆動する駆動コイル１４等を備える。
支持部２１は、光ディスク装置の本体側にスライド可能に取付けられる樹脂製のスライドベース２２と、このスライドベース２２に取付けられた金属製のベースプレート２３、集積光学素子部２４、集積光学素子部２４を光ディスク装置の本体側に電気的に接続するフレキシブル配線板２６と、ベースプレート２３に取付けられたプリント基板２７、マグネット、金属製の保護カバー２８とを備える。
【００１１】
スライドベース２２は、可動部１１と、支持部２１の他の部分とを囲むように収容する部品である。
ベースプレート２３は、板材が折り曲げられて成形された部材である。集積光学素子部２４は、光源となるレーザ装置、受光素子、光学部材等を備えた部材群である。フレキシブル配線板２６は、集積光学素子部２４を光ディスク装置の本体側に電気的に接続する可撓性を有する部品である。プリント基板２７は、フレキシブル配線板２６に別のフレキシブル配線板を介して接続され、フレキシブル配線板２６が接続される光ディスク装置の本体側と支持ワイヤ２０とを電気的に接続する中継部である。保護カバー２８は、板材が折り曲げられて成形された部材であり、可動部１１及び支持部２１を保護している。
支持ワイヤ２０は、弾性を有する線状体からなる連結部材であり、光ピックアップ１０の両側部に２本ずつ配置されている。支持ワイヤ２０の一端は、可動部１１側に半田付けされて駆動コイル１４に電気的に導通し、他端は、プリント基板２７に半田付けされ、中間部のプリント基板２７寄りの部分は、ベースプレート２３と保護カバー２８とで形成される緩衝材充填部３０に充填された緩衝材で支持されて可動部１１に発生する振動を減衰させる。
【００１２】
図２は、光ピックアップの一端部を示す斜視図である。図中の矢印は、対物レンズが駆動される方向を示す。矢印Ｆはフォーカス方向、矢印Ｔはトラッキング方向である。
光ピックアップの一端部、即ちスライドベース２２の集積光学素子部２４が取付けられる側の一端部に、フレキシブル配線板２６が略一周巻かれて取付けられている。
スライドベース２２は、対物レンズ１２（図１参照）が配置される側である上面２２Ａと、この上面２２Ａの下方に対向する下面２２Ｂ（図６参照）と、対物レンズ１２に対してトラッキング方向Ｔに位置する一側面２２Ｃ及び他側面２２Ｄとを備え、フレキシブル配線板２６は、その巻き始めの部分が一側面２２Ｃに有り、この一側面２２Ｃから順に下面２２Ｂ、他側面２２Ｄ、上面２２Ａに巻かれる。
【００１３】
図３は、スライドベース２２とフレキシブル配線板２６とを示す分解斜視図である。
スライドベース２２は、光ディスク装置の本体側にスライド可能且つ揺動可能に取付けられる本体側取付部２２ｅと、この本体側取付部２２ｅに連結される箱形の収容部２２ｆと、この収容部２２ｆに隣接してフレキシブル配線板２６が巻き付けられる先端部２２ｇとを一体に備える。
収容部２２ｆは、図１に示した可動部１１と、支持部２１のスライドベース２２以外の構成部品とが収容される部分であり、本体側取付部２２ｅに隣接する一端側壁部２２ｊと、先端部２２ｇ側に設けられた他端側壁部２２ｋと、２つの側壁２２ｍ，２２ｎと、底壁２２ｐとからなる。
フレキシブル配線板２６は、スライドベース２２に巻き付けるために一端部側に設けられた巻き付け部２６Ａと、光ディスク装置の本体側に接続するために他端部側に設けられた幅広の接続部２６Ｂと、これらの巻き付け部２６Ａ及び接続部２６Ｂのそれぞれを繋ぐ延出部２６Ｃとから構成されている。巻き付け部２６Ａには集積光学素子部２４が接続されている。延出部２６Ｃは、光ディスク装置の本体側に対してスライドベース２２が移動する際に略Ｕ字状に屈曲する部分であり、屈曲するのに十分な長さを有する。
【００１４】
図４は、スライドベース２２を示す平面図である。なお、矢印Ｒはトラッキング方向Ｔに直交する直交方向である。
収容部２２ｆは、対物レンズ１２（図１参照）及びその周囲に配置される部品が収容される主収容部２２ｓと、プリント基板２７等が配置されるように主収容部２２ｓに隣接して設けられた副収容部２２ｔとを備える。
先端部２２ｇは、その端面に集積光学素子部２４（図３参照）が挿入されて取付けられる素子取付穴２２ｕが形成され、先端部２２ｇの上面２２Ａには、フレキシブル配線板２６（図３参照）を配置するためにトラッキング方向Ｔに延びる上部配線配置部２２ｖが形成されている。上部配線配置部２２ｖは、その両側にフレキシブル配線板２６を係止する爪部３２ａ〜３２ｅが形成されている。爪部３２ａ，３２ｂ，３２ｃは上部配線配置部２２ｖの幅方向、即ち直交方向Ｒの一側に設けられ、爪部３２ｄ，３２ｅは上部配線配置部２２ｖの直交方向Ｒの他側に設けられている。
【００１５】
図５は、図４のＶ矢視図であり、スライドベース２２の一側面２２Ｃを示している。
スライドベース２２における先端部２２ｇの一側面２２Ｃには、フレキシブル配線板２６（図３参照）を配置するためにフォーカス方向Ｆに延びる一側部配線配置部２２ｗが形成されている。一側部配線配置部２２ｗは、その両側に、フレキシブル配線板２６を係止する爪部３２ｇ，３２ｈと、フレキシブル配線板２６を位置決めする凸部３２ｊ及び壁部３２ｋとが形成されている。爪部３２ｇ及び凸部３２ｊは一側部配線配置部２２ｗの直交方向Ｒの一側に設けられ、爪部３２ｈ及び壁部３２ｋは一側部配線配置部２２ｗの直交方向Ｒの他側に設けられている。
【００１６】
図６は、スライドベース２２の下面２２Ｂを示す下面図である。
スライドベース２２における先端部２２ｇの下面２２Ｂには、フレキシブル配線板２６（図３参照）を配置するためにトラッキング方向Ｔに延びる下部配線配置部２２ｘが形成されている。
下部配線配置部２２ｘは、その両側に、フレキシブル配線板２６を係止する爪部３２ｎ，３２ｐと、フレキシブル配線板２６を位置決めする壁部３２ｑ，３２ｒとが形成されている。壁部３２ｑ，３２ｒは下部配線配置部２２ｘの直交方向Ｒの一側に設けられ、爪部３２ｎ，３２ｐは下部配線配置部２２ｘの直交方向Ｒの他側に設けられている。
【００１７】
図７は、図４のＶＩＩ矢視図であり、スライドベース２２の他側面２２Ｄを示している。
スライドベース２２における先端部２２ｇの他側面２２Ｄには、フレキシブル配線板２６（図３参照）を配置するためにフォーカス方向Ｆに延びる他側部配線配置部２２ｙが形成されている。他側部配線配置部２２ｙは、その両側に、フレキシブル配線板２６を係止する爪部３２ｓ，３２ｔと、フレキシブル配線板２６を位置決めする壁部３２ｕ，３２ｖとが形成されている。爪部３２ｓ及び壁部３２ｕは他側部配線配置部２２ｙの直交方向Ｒの一側に設けられ、爪部３２ｔ及び壁部３２ｖは他側部配線配置部２２ｙの直交方向Ｒの他側に設けられている。
【００１８】
図８は、フレキシブル配線板２６を示す平面図である。
フレキシブル配線板２６の巻き付け部２６Ａは、ボリューム３５を取付けるために一端部に設けられたボリューム取付部２６ｅと、フレキシブル配線板２６の長手方向から側方に突出してプリント基板２７（図１参照）側から延びる別のフレキシブル配線板３６が接続される第１分岐部２６ｆと、フレキシブル配線板２６の長手方向から側方に突出して幅が広く形成された幅広部２６ｇと、フレキシブル配線板２６の長手方向から側方に分岐して集積光学素子部２４に接続される第２分岐部２６ｈとを備える。符号２６ｐはボリューム取付部２６ｅと第１分岐部２６ｆとを繋ぐ第１配線部、２６ｑは第１分岐部２６ｆと幅広部２６ｇとを繋ぐ第２配線部、２６ｒは幅広部２６ｇと第２分岐部２６ｈとを繋ぐ第３配線部である。
【００１９】
ボリューム取付部２６ｅは、フレキシブル配線板２６の長手方向に突出する耳部２６ｄを備える。耳部２６ｄは、スライドベース２２（図５参照）側に係止される部分である。
ボリューム３５は、集積光学素子部２４の光量を調節する機能を有する。
第１分岐部２６ｆは、フレキシブル配線板３６と半田付けにて接続される。
幅広部２６ｇは、配線が多く集中している部分であり、他の部品、配線が接続される。
第２分岐部２６ｈは、一対の分岐配線部２６ｋ，２６ｋと、これらの分岐配線部２６ｋ，２６ｋに接続される素子側配線部２６ｍとから構成され、素子側配線部２６ｍに集積光学素子部２４が接続される。符号２６ｓは分岐配線部２６ｋ，２６ｋ間を繋ぐ第４配線部である。このように、一対の分岐配線部２６ｋ，２６ｋで集積光学素子部２４に接続することで、１本の分岐配線部２６ｋの幅を小さくできるとともに分岐配線部２６ｋ，２６ｋのそれぞれに外力を分散させることができるため、それぞれの分岐配線部２６ｋを容易に屈曲させることができる。これにより、フレキシブル配線板２６に接続されている集積光学素子部２４をスライドベース２２に取付けやすくすることができる。
接続部２６Ｂは、光ディスク装置の本体側に設けられたコネクタ３７に接続される。
【００２０】
以上に述べたフレキシブル配線板２６の巻き付け固定の要領を以下に順に説明する。
図９は、スライドベース２２の一側面２２Ｃにフレキシブル配線板２６を巻き付ける要領を示す作用図である。図９（Ａ）はフレキシブル配線板２６（図８参照）の巻き付け前の一側部配線配置部２２ｗを示す図であり、図５の要部を示している。図９（Ｂ）はフレキシブル配線板２６の巻き付け後の一側部配線配置部２２ｗを示す図である。
図９（Ａ），（Ｂ）に示すように、まず、ボリューム取付部２６ｅの耳部２６ｄを一側部配線配置部２２ｗの爪部３２ｈに掛け、ボリューム取付部２６ｅの一側縁部３３ａを凸部３２ｊで位置決めするとともにボリューム取付部２６ｅの他側縁部３３ｂを壁部３２ｋで位置決めし、ボリューム取付部２６ｅの付根側縁部３３ｃを爪部３２ｇに掛ける。
このように、ボリューム取付部２６ｅを、その一つの対角線位置にて爪部３２ｇ，３２ｈで係止することで浮き上がりとフォーカス方向の移動を防止し、且つ凸部３２ｊ及び壁部３２ｋで回り止めすることでボリューム３５を支障なく回すことができる。
【００２１】
図１０は、スライドベース２２の下面２２Ｂにフレキシブル配線板２６を巻き付ける要領を示す作用図である。図１０（Ａ）はフレキシブル配線板２６（図８参照）の巻き付け前の下部配線配置部２２ｘを示す図であり、図６の要部を示している。図１０（Ｂ）はフレキシブル配線板２６の巻き付け後の下部配線配置部２２ｘを示す図である。
図１０（Ａ），（Ｂ）に示すように、第１分岐部２６ｆの近傍である第１配線部２６ｐを爪部３２ｎに掛けるとともに第２配線部２６ｑを爪部３２ｐに掛け、第１配線部２６ｐの縁部を壁部３２ｑで位置決めするとともに第２配線部２６ｑを壁部３２ｒで位置決めする。このように、フレキシブル配線板２６の第１分岐部２６ｆの両側を爪部３２ｎ，３２ｐで係止することで、第１分岐部２６ｆ及び第１分岐部２６ｆに接続されるフレキシブル配線板３６の浮き上がりを抑制することができる。
【００２２】
図１１は、スライドベース２２の他側面２２Ｄにフレキシブル配線板２６を巻き付ける要領を示す作用図である。図１１（Ａ）はフレキシブル配線板２６（図８参照）の巻き付け前の他側部配線配置部２２ｙを示す図であり、図７の要部を示している。図１１（Ｂ）はフレキシブル配線板２６の巻き付け後の他側部配線配置部２２ｙを示す図である。
図１１（Ａ），（Ｂ）に示すように、幅広部２６ｇの一側縁部３３ｅを爪部３２ｓに掛けるとともに壁部３２ｕで位置決めし、幅広部２６ｇの他側縁部３３ｆを爪部３２ｔに掛けるとともに壁部３２ｖで位置決めする。
爪部３２ｓ，３２ｔは、縁部の一部が傾斜する形状であり、配線が多い幅広部２６ｇにおいて、それらの配線に接触しないように配線を避けている。
【００２３】
図１２は、スライドベース２２の上面２２Ａにフレキシブル配線板２６を巻き付ける要領を示す作用図である。図１２（Ａ）はフレキシブル配線板２６（図８参照）の巻き付け前の上部配線配置部２２ｖを示す図であり、図４の要部を示している。図１２（Ｂ）はフレキシブル配線板２６の巻き付け後の上部配線配置部２２ｖを示す図である。
図１２（Ａ），（Ｂ）に示すように、第２分岐部２６ｈの近傍、詳しくは、第３配線部２６ｒの他側縁部３３ｈを爪部３２ｄに掛け、第４配線部２６ｓの一側縁部３３ｊを爪部３２ａ，３２ｂに掛け、延出部２６Ｃの一側縁部３３ｋを爪部３２ｃに掛け、延出部２６Ｃの他側縁部３３ｍを爪部３２ｅに掛ける。
【００２４】
第３配線部２６ｒの一側縁部３３ｐを掛ける爪部を設けていないのは、上部配線配置部２２ｖで初めに他側縁部３３ｈを爪部３２ｄに掛けた後で集積光学素子部２４をスライドベース２２に取付ける際に、フレキシブル配線板２６を動きやすくしてスライドベース２２に容易に集積光学素子部２４を取付けやすくするためである。一側縁部３３ｐを爪部に掛けなくても第４配線部２６ｓの一側縁部３３ｊを爪部３２ａ，３２ｂに掛けることでフレキシブル配線板２６を確実に固定することができる。
また、フレキシブル配線板２６の巻き終わり部分である延出部２６Ｃの両側を爪部３２ｃ，３２ｅで係止することで、延出部２６Ｃが光ピックアップ１０（図１参照）の移動に伴って屈曲してもスライドベース２２から外れることがなく、フレキシブル配線板２６を確実に固定することができる。
【００２５】
以上の図１、図２、図４〜図７に示したように、光学式記録媒体にレーザ光を集光するレンズとしての対物レンズ１２等を備えた可動部１１と、この可動部１１を変位可能に支持する支持部２１と、レーザ光を発するレーザ装置、受光素子等を備えた集積光学素子部２４と、この集積光学素子部２４を光ディスク装置本体側に接続するフレキシブル配線板２６とを有し、支持部２１に樹脂製フレームとしてのスライドベース２２を備える光ピックアップ１０におけるフレキシブル配線板２６の固定方法であって、フレキシブル配線板２６は、複数の爪部３２ａ〜３２ｅ，３２ｇ，３２ｈ，３２ｎ，３２ｐ，３２ｓ，３２ｔ、壁部３２ｋ，３２ｑ，３２ｒ，３２ｕ，３２ｖ及び凸部３２ｊが形成されたスライドベース２２に巻き付けられ、爪部３２ａ〜３２ｅ，３２ｇ，３２ｈ，３２ｎ，３２ｐ，３２ｓ，３２ｔに掛けられるとともに壁部３２ｋ，３２ｑ，３２ｒ，３２ｕ，３２ｖ及び凸部３２ｊで位置決めされて固定される。
【００２６】
この構成によれば、フレキシブル配線板２６を、スライドベース２２に巻き付けるとともにスライドベース２２の爪部３２ａ〜３２ｅ，３２ｇ，３２ｈ，３２ｎ，３２ｐ，３２ｓ，３２ｔ、壁部３２ｋ，３２ｑ，３２ｒ，３２ｕ，３２ｖ及び凸部３２ｊを利用して固定する構造であるため、別部材の板材、ビス、接着剤等を用いずに済み、部品点数及び組立工数を削減することができ、軽量化、コスト削減及び生産性向上を図ることができる。
【００２７】
また、図２に示したように、フレキシブル配線板２６は、スライドベース２２の一方向に巻き付けられるので、巻き付け作業性を向上させることができ、生産性をより一層高めることができる。
また、図２及び図１２（Ａ），（Ｂ）に示したように、フレキシブル配線板２６は、スライドベース２２に略一周巻かれ、この略一周した部分は、両縁部（一側縁部３３ｋ及び他側縁部３３ｍ）が一対の爪部３２ｃ，３２ｅで固定されるので、フレキシブル配線板２６が屈曲等を伴って動いたとしてもスライドベース２２外れにくくすることができる。
【００２８】
図８及び図９（Ａ），（Ｂ）に示したように、フレキシブル配線板２６は、その一端部から長手方向に突出する耳部２６ｄが形成され、この耳部２６ｄが爪部３２ｈに掛けられるので、耳部２６ｄでフレキシブル配線板２６の一端部を固定することができるとともに、フレキシブル配線板２６が、スライドベース２２に一周巻かれた際に、フレキシブル配線板２６における一端部の耳部２６ｄ以外の部分とフレキシブル配線板２６の中間部とを干渉しないようにすることができる。
【００２９】
また、図８及び図１２（Ａ），（Ｂ）に示したように、フレキシブル配線板２６は、その中間部の一側部に、集積光学素子部２４に接続される２本の分岐部としての分岐配線部２６ｋ，２６ｋを備え、これらの分岐配線部２６ｋ，２６ｋの近傍の他側部としての他側縁部３３ｈが爪部３２ｄで固定され、一対の分岐配線部２６ｋ，２６ｋの間の一側部としての一側縁部３３ｊが爪部３２ａ，３２ｂで固定される。分岐配線部２６ｋ，２６ｋの近傍の一側部における分岐配線部２６ｋ，２６ｋの両側（一側縁部３３ｋの他に一側縁部３３ｐ）も爪部で固定すると、集積光学素子部２４をスライドベース２２に取付ける際にフレキシブル配線板２６の分岐配線部２６ｋ，２６ｋ及びその周辺の動きが制限され、取付けにくくなるが、本発明では、分岐配線部２６ｋ，２６ｋの近傍の他側部（他側縁部３３ｈ）と、分岐配線部２６ｋ，２６ｋの間の一側部（一側縁部３３ｊ）を爪部３２ｄ，３２ａ，３２ｂで固定することで、フレキシブル配線板２６の動きを抑制しにくくなり、集積光学素子部２４を取付けやすくできるとともにフレキシブル配線板２６を確実に固定することができる。
【００３０】
上述した実施形態は、あくまでも本発明の一態様を示すものであり、本発明の主旨を逸脱しない範囲で任意に変形及び応用が可能である。
例えば、上記実施形態において、図２、図９〜図１２に示したように、スライドベース２２にフレキシブル配線板２６を巻き付ける方向を、一側面２２Ｃ→下面２２Ｂ→他側面２２Ｄ→上面２２Ａの順としたが、光ピックアップ１０と、光ディスク装置の本体側のコネクタ３７（図８参照）との位置関係によっては、これに限らない。また、巻き始め位置を一側面２２Ｃとしたが、これに限らない。更に、フレキシブル配線板２６をスライドベース２２の上記４つの面に亘って略一周巻き付けたが、これに限らず、これより少ない面に固定する、あるいは、例えば、３．５面というように面の一部のみを利用して固定しても良い。
【符号の説明】
【００３１】
１０  光ピックアップ
１１  可動部
１２  対物レンズ（レンズ）
２１  支持部
２２  スライドベース（樹脂製フレーム）
２４  集積光学素子部
２６  フレキシブル配線板
２６ｄ  耳部
２６ｋ  分岐配線部（分岐部）
３２ａ〜３２ｅ，３２ｇ，３２ｈ，３２ｎ，３２ｐ，３２ｓ，３２ｔ  爪部
３２ｊ  凸部
３２ｋ，３２ｑ，３２ｒ，３２ｕ，３２ｖ  壁部
【図１】
2014106992.tif 000003
【図２】
2014106992.tif 000004
【図３】
2014106992.tif 000005
【図４】
2014106992.tif 000006
【図５】
2014106992.tif 000007
【図６】
2014106992.tif 000008
【図７】
2014106992.tif 000009
【図８】
2014106992.tif 000010
【図９】
2014106992.tif 000011
【図１０】
2014106992.tif 000012
【図１１】
2014106992.tif 000013
【図１２】
2014106992.tif 000014